【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
実データを保持している複数のテーブルを格納しているデータベースと通信可能に接続され、制御部と表示部と記憶部とを備え、業務アプリケーションの動作に伴って表示された少なくとも１つの項目を含む画面で指定された指定項目に関する前記実データを検索するテーブルデータ検索装置であって、
前記記憶部は、検索条件及び／又は検索結果の表示の在り方及び／又は検索条件の指定の在り方に関する設定データが格納されている検索抽出対象マスタテーブルを記憶し、
前記制御部は、
前記業務アプリケーションの動作に伴って表示された前記画面で指定された前記指定項目に関する前記実データの検索指示を受けると、検索条件の指定および検索結果の表示を行うための検索画面を前記表示部に表示する表示実行手段と、前記検索条件が指定されると、前記指定項目に対応する前記テーブルから当該検索条件に適合する前記実データを検索する検索手段と、を備え、前記表示実行手段は、前記検索手段で検索した前記実データの検索結果を前記検索画面に表示すること、
または、
前記業務アプリケーションの動作に伴って表示された前記画面で指定された前記指定項目に関する前記実データの検索指示であって検索条件を含むものを受けると、前記指定項目に対応する前記テーブルから当該検索条件に適合する前記実データを検索する検索手段と、前記検索手段で検索した前記実データの検索結果が表示された検索画面を前記表示部に表示する表示実行手段と、を備えたこと、
を特徴とし、
前記検索手段は、前記検索抽出対象マスタテーブルに格納されている前記設定データを参照して、前記実データの検索を実行し、
前記表示実行手段は、前記検索抽出対象マスタテーブルに格納されている前記設定データを参照して、前記検索画面の表示を実行すること、
を特徴とするテーブルデータ検索装置。
【請求項２】
実データを保持している複数のテーブルを格納しているデータベースと通信可能に接続され、制御部と表示部と記憶部とを備え、業務アプリケーションの動作に伴って表示された少なくとも１つの項目を含む画面で指定された指定項目に関する前記実データを検索するテーブルデータ検索装置であって、
前記記憶部は、検索条件及び／又は検索結果の表示の在り方及び／又は検索条件の指定の在り方に関する設定データが格納されている検索抽出対象マスタテーブルを記憶し、
前記制御部は、
前記業務アプリケーションへ返す前記実データの個数が１つであることを意味する単一指定データ及び前記業務アプリケーションへ返す前記実データの個数が２つ以上であることを意味する複数指定データのうちのいずれかを保持している変数及び前記設定データを参照して、前記設定データを参照して前記指定項目に対応する前記テーブルから検索された検索条件に適合する前記実データの検索結果を表示するための検索画面であってユーザに当該変数で特定される個数の前記実データを選択させることが可能なものを前記表示部に表示する表示実行手段
を備えたこと
を特徴とするテーブルデータ検索装置。
【請求項３】
実データを保持している複数のテーブルを格納しているデータベースと通信可能に接続され制御部と表示部と記憶部とを備えた情報処理装置で実行される、業務アプリケーションの動作に伴って表示された少なくとも１つの項目を含む画面で指定された指定項目に関する前記実データを検索するテーブルデータ検索方法であって、
前記記憶部は、検索条件及び／又は検索結果の表示の在り方及び／又は検索条件の指定の在り方に関する設定データが格納されている検索抽出対象マスタテーブルを記憶し、
前記制御部で実行される、
前記業務アプリケーションの動作に伴って表示された前記画面で指定された前記指定項目に関する前記実データの検索指示を受けると、検索条件の指定および検索結果の表示を行うための検索画面を前記表示部に表示する画面表示実行ステップと、前記検索条件が指定されると、前記指定項目に対応する前記テーブルから当該検索条件に適合する前記実データを検索する検索ステップと、前記検索ステップで検索した前記実データの検索結果を前記検索画面に表示する結果表示実行ステップと、を含むこと、
または、
前記業務アプリケーションの動作に伴って表示された前記画面で指定された前記指定項目に関する前記実データの検索指示であって検索条件を含むものを受けると、前記指定項目に対応する前記テーブルから当該検索条件に適合する前記実データを検索する検索ステップと、前記検索ステップで検索した前記実データの検索結果が表示された検索画面を前記表示部に表示する表示実行ステップと、を含むこと、
を特徴とし、
前記検索ステップは、前記検索抽出対象マスタテーブルに格納されている前記設定データを参照して、前記実データの検索を実行し、
前記画面表示実行ステップ又は前記表示実行ステップは、前記検索抽出対象マスタテーブルに格納されている前記設定データを参照して、前記検索画面の表示を実行すること、
を特徴とするテーブルデータ検索方法。
【請求項４】
実データを保持している複数のテーブルを格納しているデータベースと通信可能に接続され制御部と表示部と記憶部とを備えた情報処理装置で実行される、業務アプリケーションの動作に伴って表示された少なくとも１つの項目を含む画面で指定された指定項目に関する前記実データを検索するテーブルデータ検索方法であって、
前記記憶部は、検索条件及び／又は検索結果の表示の在り方及び／又は検索条件の指定の在り方に関する設定データが格納されている検索抽出対象マスタテーブルを記憶し、
前記制御部で実行される、
前記業務アプリケーションへ返す前記実データの個数が１つであることを意味する単一指定データ及び前記業務アプリケーションへ返す前記実データの個数が２つ以上であることを意味する複数指定データのうちのいずれかを保持している変数及び前記設定データを参照して、前記設定データを参照して前記指定項目に対応する前記テーブルから検索された検索条件に適合する前記実データの検索結果を表示するための検索画面であってユーザに当該変数で特定される個数の前記実データを選択させることが可能なものを前記表示部に表示する表示実行ステップ
を含むこと
を特徴とするテーブルデータ検索方法。
【請求項５】
実データを保持している複数のテーブルを格納しているデータベースと通信可能に接続され制御部と表示部と記憶部とを備えた情報処理装置に実行させるための、業務アプリケーションの動作に伴って表示された少なくとも１つの項目を含む画面で指定された指定項目に関する前記実データを検索するテーブルデータ検索プログラムであって、
前記記憶部は、検索条件及び／又は検索結果の表示の在り方及び／又は検索条件の指定の在り方に関する設定データが格納されている検索抽出対象マスタテーブルを記憶し、
前記制御部に実行させるための、
前記業務アプリケーションの動作に伴って表示された前記画面で指定された前記指定項目に関する前記実データの検索指示を受けると、検索条件の指定および検索結果の表示を行うための検索画面を前記表示部に表示する画面表示実行ステップと、前記検索条件が指定されると、前記指定項目に対応する前記テーブルから当該検索条件に適合する前記実データを検索する検索ステップと、前記検索ステップで検索した前記実データの検索結果を前記検索画面に表示する結果表示実行ステップと、を含むこと、
または、
前記業務アプリケーションの動作に伴って表示された前記画面で指定された前記指定項目に関する前記実データの検索指示であって検索条件を含むものを受けると、前記指定項目に対応する前記テーブルから当該検索条件に適合する前記実データを検索する検索ステップと、前記検索ステップで検索した前記実データの検索結果が表示された検索画面を前記表示部に表示する表示実行ステップと、を含むこと、
を特徴とし、
前記検索ステップは、前記検索抽出対象マスタテーブルに格納されている前記設定データを参照して、前記実データの検索を実行し、
前記画面表示実行ステップ又は前記表示実行ステップは、前記検索抽出対象マスタテーブルに格納されている前記設定データを参照して、前記検索画面の表示を実行すること、
を特徴とするテーブルデータ検索プログラム。
【請求項６】
実データを保持している複数のテーブルを格納しているデータベースと通信可能に接続され制御部と表示部と記憶部とを備えた情報処理装置に実行させるための、業務アプリケーションの動作に伴って表示された少なくとも１つの項目を含む画面で指定された指定項目に関する前記実データを検索するテーブルデータ検索プログラムであって、
前記記憶部は、検索条件及び／又は検索結果の表示の在り方及び／又は検索条件の指定の在り方に関する設定データが格納されている検索抽出対象マスタテーブルを記憶し、
前記制御部に実行させるための、
前記業務アプリケーションへ返す前記実データの個数が１つであることを意味する単一指定データ及び前記業務アプリケーションへ返す前記実データの個数が２つ以上であることを意味する複数指定データのうちのいずれかを保持している変数及び前記設定データを参照して、前記設定データを参照して前記指定項目に対応する前記テーブルから検索された検索条件に適合する前記実データの検索結果を表示するための検索画面であってユーザに当該変数で特定される個数の前記実データを選択させることが可能なものを前記表示部に表示する表示実行ステップ
を含むこと
を特徴とするテーブルデータ検索プログラム。